(57)【要約】【課題】荷物を載置したフォークが最上位置に達した時にフォークの先端部が直接確認できると共に、雨天時に運転者が直接被水するのを防止するフォークリフトのヘッドガード構造の提供を目的とする。【解決手段】車体（２１）前部に装着された左右一対の前側支柱（５１）と、車体（２１）の後部に装着された左右一対の後側支柱（５２）と、前側支柱（５１）と後側支柱（５２）の上端部とを連結する左右一対の縦フレーム（５５）と、左右一対の前記前側支柱（５１）の上端部を連結する前側横フレーム（５４）と、左右一対の縦フレーム（５５）間に架橋すると共に、前端が縦フレーム（５５）の前後方向中間部に位置して下方へ屈曲した前側フランジ面（５６ｂ）を有する天板（５６）と、前側横フレーム（５４）と前側フランジ面（５６ｂ）に固着されると共に、車幅方向に間隔を有して複数配設された棒部材（５７）と、を備えたことを特徴とする。
2014083659.tif 000002
【特許請求の範囲】
【請求項１】
フォークリフトの車体前部に装着され、車幅方向に離間して配置された左右一対の前側支柱と、
前記車体の後部に装着され、車幅方向に離間して配置された左右一対の後側支柱と、
前記前側支柱の上端部と前記後側支柱の上端部とを前記車体の前後方向に連結する左右一対の縦フレームと、
前記左右一対の前記前側支柱の上端部を車幅方向に連結する前側横フレームと、
前記左右一対の縦フレーム間に架橋すると共に、前記縦フレームの後端部から前記車体の前方向に延在し、前端が前記縦フレームの前後方向中間部に位置して、前記前端に連続して下方へ屈曲した前側フランジ面を有する天板と、
一端が前記前側横フレームに固着され、他端が前記前側フランジ面に固着されると共に、車幅方向に間隔を有して複数配設された棒部材と、を備えたことを特徴とするフォークリフトのヘッドガード構造。
【請求項２】
前記前側フランジ面の車両前後方向位置は、荷物を載置するフォークの先端が最上位置に達した時に、前記棒部材間の間隔部を介して、少なくとも正規着座位置に運転者が着座した時の前記運転者のアイポイントと前記フォークの先端とを結んだ線より後方に位置していることを特徴とする請求項１記載のフォークリフトのヘッドガード構造。
【請求項３】
前記天板の前記後端部は、下方へ屈曲した後側フランジ面を有し、前記後側フランジ面の車幅方向の両端縁は、前記一対の後側支柱に夫々固着されていることを特徴とする請求項１又は２のいずれかに記載のフォークリフトのヘッドガード構造。
【請求項４】
前記天板には、車幅方向全域に亘って上下方向に変位した条状の溝が形成されていることを特徴とする請求項１乃至３のいずれかに記載のフォークリフトのヘッドガード構造。
【請求項５】
前記天板には、前記天板の運転席側面で、且つ運転席に対向した位置に、車幅方向に延在する補強部材を配設したことを特徴とする請求項１乃至４のいずれかに記載のフォークリフトのヘッドガード構造。
【請求項６】
前記棒部材は、前記棒部材の軸線に直角方向の断面形状が長方形を成し、前記断面形状の長辺が上下方向に配置されていることを特徴とする請求項１乃至５のいずれかに記載のフォークリフトのヘッドガード構造。
【発明の詳細な説明】
【技術分野】
【０００１】
本発明は、フォークリフトのヘッドガード構造に関する。
【背景技術】
【０００２】
各種の荷物の運搬、積み降ろしに使用されるフォークリフトにおいて、荷物の高所への積み降ろしの際に、荷崩れ等により、荷物が落下した際に、荷物から運転者を守るための防護装置としてヘッドガードが装着されている。
ヘッドガードは、フォークリフトの車体前部に車幅方向に間隔を有して配設された左右一対の前側支柱と、車体後部に車幅方向に間隔を有して配設された左右一対の後側支柱と、
前記前側支柱と前記後側支柱間に架設された天井部とを有しており、運転者を落下する荷物から守るために剛性の高い構造にしてある。
ヘッドガードの構造として特許文献１が存在する。【０００３】
特許文献１によると、車体に設けられたヘッドガードの前方側の左右の支柱に前カバーがボルトで固定されている。
この前カバーはポリカーボネートなどの強度と耐久性を備えた透明の樹脂で形成されている。
これにより、雨天時に、運転者への被水を防止している。
更に、同様構成にて形成された天井用のカバーを設けて、雨天時に、運転者への被水を防止している。【０００４】
更に、特許文献２には、ヘッドガードのルーフカバーにフォークリフトのバッテリーの積み降ろしを行うため、車両前後方向中間部に側部が開口したＵ字状の切欠部を設けている。バッテリー積み降ろしを実施しない時は、該切欠部を閉塞する蓋体を備えている。
そして、ルーフカバーのルーフ板は、鉄板などの金属板、ＦＲＰを含む剛性樹脂板等で成形されている。
【先行技術文献】
【特許文献】
【０００５】
【特許文献１】２００３−１０４６９５号公報
【特許文献２】２００５−８２３５６号公報
【発明の概要】
【発明が解決しようとする課題】
【０００６】
しかしながら、特許文献１によると、前面と天井部にポリカーボネート等で覆っている。ポリカーボネートは、経年変化により微細な傷が生じ、光が当たると乱反射して視界が著しく悪くなる。
更に、上方から荷物が落下した場合には、破損して、その破損物質が運転者に降りかかる不具合を有している。
また、特許文献２においては、ヘッドガードのルーフカバーに自車のバッテリーの積み降ろしの為の切欠部を設けている。該切欠部を蓋体にて閉塞している。
しかし、切欠部が形成されているため、天井部及び蓋体に多くの補強部材を配設しないと、ヘッドガードとして要求される剛性が確保できない。
従って、構造が複雑になると共に、補強材の費用、製作工数等が嵩みコストが高くなる。
また、ルーフカバーのルーフ板は、鉄板などの金属板、ＦＲＰ等で形成されているので、不透明であり、上方の視界を確保することができない不具合を有している。【０００７】
本発明は、上述した課題に鑑みてなされた発明であって、荷物を載置したフォークが最上位置に達した時にフォークの先端部が直接確認できると共に、雨天時に運転者が直接被水するのを防止するフォークリフトのヘッドガード構造の提供を目的とする。
【課題を解決するための手段】
【０００８】
本発明はかかる課題を解決するため、フォークリフトの車体前部に装着され、車幅方向に離間して配置された左右一対の前側支柱と、
前記車体の後部に装着され、車幅方向に離間して配置された左右一対の後側支柱と、
前記前側支柱の上端部と前記後側支柱の上端部とを前記車体の前後方向に連結する左右一対の縦フレームと、
前記左右一対の前記前側支柱の上端部を車幅方向に連結する前側横フレームと、
前記左右一対の縦フレーム間に架橋すると共に、前記縦フレームの後端部から前記車体の前方向に延在し、前端が前記縦フレームの前後方向中間部に位置して、前記前端に連続して下方へ屈曲した前側フランジ面を有する天板と、
一端が前記前側横フレームに固着され、他端が前記前側フランジ面に固着されると共に、車幅方向に間隔を有して複数配設された棒部材と、を備えたことを特徴とするフォークリフトのヘッドガード構造が提供される。【０００９】
かかる発明によれば、ヘッドガードの天井部の後側半分、即ち、運転者の上方部分を天板で覆い、両側部を左右一対の縦フレームに固着した構成としたので、天井部の強度及び剛性が高く、且つ、雨天時、雨から運転者を守ることができると共に、フォークリフト運転時の前方の上方視界を維持することができる。
従って、フォークリフトの雨天時の作業性向上と安全性向上が図れる。  【００１０】
また、本発明において好ましくは、前記前側フランジ面の車両前後方向位置は、荷物を載置するフォークの先端が最上位置に達した時に、前記棒部材間の間隔部を介して、少なくとも正規着座位置に運転者が着座した時の前記運転者のアイポイントと前記フォークの先端とを結んだ線より後方に位置しているとよい。【００１１】
かかる発明によれば、フォークが最上位置に上昇した時に、運転者がフォークの先端を正規着座位置、即ち、フォークリフトの運転操作が支障なく操作できる姿勢で確認できるようにしたので、フォークリフトによる荷役作業が行い易くなると共に、安全性が向上する。【００１２】
また、本発明において好ましくは、前記天板の前記後端部は、下方へ屈曲した後側フランジ面を有し、前記後側フランジ面の車幅方向の両端縁は、前記一対の後側支柱に夫々固着されているとよい。【００１３】
かかる発明によれば、後側フランジ面によって、後側支柱の車幅方向の剛性向上が図れる。
更に、後側フランジ面が前側横フレームと同様効果（車幅方向の剛性向上）を有するので、コスト低減が可能となる。【００１４】
また、本発明において好ましくは、前記天板には、車幅方向全域に亘って上下方向に変位した条状の溝が形成されているとよい。【００１５】
かかる発明によれば、天板に車幅方向全域に亘って条状の溝を形成したので、天板の上方からの落下物に対する剛性向上が図れると共に、前側支柱及び後側支柱の車幅方向の剛性向上が図れる。【００１６】
また、本発明において好ましくは、前記天板には、前記天板の運転席側面で、且つ運転席に対向した位置に、車幅方向に延在する補強部材を配設するとよい。【００１７】
かかる発明によれば、天板の運転席側に補強部材を配設するだけなので、天板の上方からの落下物に対する剛性向上が容易に図れる。【００１８】
また、本発明において好ましくは、前記棒部材は、前記棒部材の軸線に直角方向の断面形状が長方形を成し、前記断面形状の長辺が上下方向に配置されているとよい。【００１９】
かかる発明によれば、断面形状が長方形の長辺を上下方向に配設することにより、長方形断面の長辺を水平方向に配設した場合より、棒部材間の隙間部が大きくなり、上方視界が広くなる。
更に、長辺を上下方向に配置することで、上下方向の剛性が向上し、安全性が向上する。
また、剛性を同一に保つ場合には、材料の重量軽減と、重量軽減に伴う材料費の低減が可能となる。
【発明の効果】
【００２０】
このような構造にすることにより、荷物を載置したフォーク先端部が直接確認できると共に、雨天時に運転者が雨水を直接受けることを防止するフォークリフトのヘッドガード構造が提供される。
【図面の簡単な説明】
【００２１】
【図１】本発明が実施されるフォークリフトの概略側面図を示す。
【図２】本発明が実施されるヘッドガード概略斜視図を示す。
【図３】本発明のヘッドガード天井部の概略斜視図を示す。
【図４】（Ａ）は本発明のヘッドガード天井部の結合構造詳細図、（Ｂ）はガセットの溶接範囲図を示す。
【図５】（Ａ）は前側支柱の車体への取付構造図、（Ｂ）は（Ａ）のＡ−Ａ断面図を示す。
【図６】（Ａ）は後側支柱の車体側への取付構造図を示し、（Ｂ）は後側支柱を車体に組付ける組立分解図を示す。
【発明を実施するための形態】
【００２２】
以下、本発明を図に示した実施形態を用いて詳細に説明する。
但し、この実施形態に記載されている構成部品の寸法、材質、形状、その相対配置などは特に特定的な記載がない限り、この発明の範囲をそれのみに限定する趣旨ではなく、単なる説明例にすぎない。
【００２３】
図１は本発明が実施されるフォークリフトの概略側面図を示し、１はフォークリフト全体の側面図を示す。
フォークリフト１は車体２１と、車体２１の前部に装着された荷物昇降装置７と、荷物昇降装置７によって持上げられた荷物が荷崩れして運転席に落下するのを防止するヘッドガード５と、フォークリフト１を移動させる駆動輪である前輪８と、車体２１の後部に装着され、フォークリフト１の操舵輪である後輪９と、車体２１の後部に装着され、荷物昇降装置７の荷物の重量によって後輪９が路面から離間しないようにすると共に、後輪９が路面に強く接触できる重量を有するカウンタウェイト３と、後輪９の操舵を行うハンドル６と、運転者が着座するシート１０とで構成されている。
尚、フォークリフト１は後輪９が操舵輪になっているので、カウンタウェイト３によって路面に強く当接させている。
【００２４】
車体２１は、図示省略のエンジン、前輪駆動用の装置、油圧シリンダ等の油圧ポンプ、後輪の操舵装置等の走行および作業用装置が載置される車体２１と、これら走行および作業用装置をカバーするエンジンカバー２４とで構成されている。
ヘッドガード５が装着される車体２１は、車幅方向の基本断面が矩形状を成し、車両前後方向に延在すると共に、車幅方向に間隔を有した左右一対のサイドフレーム（図示省略）と、該左右一対のサイドフレーム間を車幅方向に連結すると共に、前後方向に間隔を有して配置された複数のクロスメンバ（図示省略）とで構成されている。
左右一対のサイドフレーム間に走行するための装置および作業用装置が収納されるように構成されている。
左右一対のサイドフレーム間をエンジンカバー２４で覆っている。
エンジンカバー２４の上面に運転者が着座するシート１０が配設されている。
車体２１はクロスメンバを介してカウンタウェイト３等が連結されるので、高強度、高剛性に形成されている。
【００２５】
荷物昇降装置７は、荷物を載置する側面視がＬ字状のフォーク（爪）７２と、フォーク７２が取付けられるバックレスト７３と、バックレスト７３を上下方向に摺動自在に支持するマスト７１と、バックレスト７３を上下方向に摺動させるリフトチエーン（図示省略）と、マスト７１の内側に、該マスト７１に対し上下方向へ摺動自在に嵌合して、バックレスト７３をマスト７１の上端より更に上方へ持上げる補助マスト７５と、マスト７１及び補助マスト７５を傾斜させフォーク７２の先端を調整するチルトシリンダ（油圧）７６と、を備えている。フォーク７２の先端を上下に傾斜（調整）させて、フォーク７２を荷物の下側へ挿入して、荷物をフォーク７２に載置する。
補助マスト７５は図示しないリフトシリンダ（油圧）によってマスト７１に対し上下に摺動する。
【００２６】
図２にヘッドガード５の外観斜視図を示す。ヘッドガード５は、車体２１の前部に車幅方向に離間して配置された左右一対の前側支柱５１、５１と、車体２１の後部に車幅方向に離間して配置された左右一対の後側支柱５２，５２と、前後左右の四本の支柱の上端部に溶接された矩形状の天井部５３とで構成されている。
尚、支柱は前後共に対で配置されているが、説明を容易化するため支柱の符号は一つ記載とする。
前側支柱５１は支柱の軸線に対する直角方向の断面が、略矩形状の中空閉断面形状を成した柱状に形成されている。
図１に示すように、前側支柱５１の下部は、フォークリフト１の車体２１の前部で、且つ前輪８の上部に取付けられている。
前側支柱５１下部の取付構造の詳細を図５（Ａ）及び（Ｂ）に示す。
前側支柱５１の車体２１側取付部構造は、車体２１のフロントフェンダー２１ａの上面に起立した左右一対の前側取付ブラケット２１ｂと、前側取付ブラケット２１ｂの車両中側に配設され、前側取付ブラケット２１ｂの車幅方向の剛性を維持する左右一対の補強ガセット２１ｃと、左右一対の補強ガセット２１ｃ間を連結し、ハンドル６、走行及び荷物昇降作業用の操作レバー、運転用のメータ機器類等が装着されると共に、内部に補強用のインスツルメントリンフォースが配設されたインスツルメントパネル２８（図１参照）等で構成されている。
【００２７】
また、左右の前側取付ブラケット２１ｂは、夫々が先端側を車体２１の内側に傾斜させ、車両前後方向視で台形状に傾斜面を形成されている。この傾斜面は、前側取付ブラケット２１ｂに前側支柱５１を装着する際、上方からの挿入のガイドとすると共に、車体２１の車幅方向中心線とヘッドガード５の車幅方向中心線との位置決めが容易になる。
従って、傾斜面に沿うようにヘッドガード５の下端は、該下端の車幅方向寸法ＷＬと上端の車幅方向寸法ＷＵとの関係をＷＬ＞ＷＵとなっている。
前側取付ブラケット２１ｂには、車幅方向に貫通した第１取付孔２１ｄと、前側取付ブラケット２１ｂの車体内側で第１取付孔２１ｄに対応した位置に固着された締結部材２２を構成するナット２２ｄが溶着されている。
【００２８】
図５（Ｂ）は、図５（Ａ）のＡ−Ａ断面を示す。前側支柱５１の下部には、第１取付孔２１ｄに対向した面に上下方向に沿って２個の第２取付孔５１ａが併設されている。
第２取付孔５１ａは、矩形状の断面の前側取付ブラケット２１ｂに当接する面に穿設されている。
また、前側支柱５１の下部には、矩形状の断面の第２取付孔５１ａが穿設された面に対向した面に、第２取付孔５１ａの孔径より大きい作業用孔５１ｂが穿設されている。
作業用孔５１ｂは、締結部材２２を構成するボルト２２ａ，スプリングワッシャ２２ｂ、及びプレーンワッシャ２２ｃが挿通可能であると共に、ボルト２２ａを締付けるボックスレンチ（図示省略）が挿通する大きさの孔径になっている。
前側支柱５１は、締結部材２２であるボルト２２ａにスプリングワッシャ２２ｂとプレーンワッシャ２２ｃを組付けて、作業孔５１ｂを介してナット２２ｄに螺合して、前側取付ブラケット２１ｂに固定される。
作業用孔５１ｂは、第１ボルト２２ａを締付けた後に、樹脂製のプラグ２３にて閉塞される。
【００２９】
後側支柱５２は、前側支柱５１と同じように、支柱の軸線に対し直角方向の断面が、略矩形状の中空閉断面形状を成した柱状に形成されている。
後側支柱５２下部の車体２１への取付構造について図６（Ａ），（Ｂ）に示す。
後側支柱５２のフレーム（図６では図示省略）側取付部構造は、車体２１の後部で、且つフレームの上面の車幅方向外側面に沿って配設された左右一対の第１支持ブラケット２６と、フレームから上方へ延在した左右一対の第２支持ブラケット２７とが配設されている。
第１支持ブラケット２６は、平面視が略矩形状断面を有する柱状を成している。
ヘッドガード５の後側支柱５２が取付けられる後側取付ブラケット２５は、第１支持ブラケット２６と第２支持ブラケット２７との上部に架橋された状態で固着されている。
従って、後側支柱５２下部の取付部は、車両の上下および前後左右方向に対して高剛性を有した構造になっている。
【００３０】
図６（Ａ），（Ｂ）に示すように、後側取付ブラケット２５は、第１支持ブラケット２６と第２支持ブラケット２７との上部に架橋する平面部２５ａと、平面部２５ａに連続し、下方へ折り曲げられた縦壁部２５ｃと、後側支柱５２が取付けられる突起２５ａとで形成されている。
突起２５ａは後側支柱５２の矩形状閉断面の前側面に当接するように配設されている。
そして、突起２５ａには、後側支柱５２の第３取付孔５２ａに対応する位置に、車両前後方向に貫通した第４取付孔２５ｄが穿設されている。
突起２５ａには、後側支柱５２と接する面の反対側で、第４取付孔２５ｄの軸線に合わせて締結部材２２を構成するナット２２ｄが配設されている。
また、突起２５ａの先端部には、後側支柱５２が突起２５ａに外嵌する際に、嵌合容易化のため、車両後方に傾斜（円弧状でもよい）したガイド部２５ｅを設けてある。
【００３１】
図２、図３、図４に基づいて、天井部５３の形状について詳細に説明する。
天井部５３は、前側支柱５１の上端部と後側支柱５２の上端部を連結する左右一対の縦フレーム５５と、左右一対の前側支柱５１間を連結する前側横フレーム５４と、縦フレーム５３の後端側から、該縦フレーム５５の車両前後方向中間部まで延在し、下方へ屈曲した前側フランジ面５６ｂを備えた天板５６ａと、前側フランジ面５６ｂと前側横フレーム５４との空間部に、一端が前側横フレーム５４に固着され、他端が前側フランジ部５６ｂに固着され、車幅方向に間隔を有して複数配設された棒部材５７とで構成されている。
【００３２】
図４に示すように、縦フレーム５５と後側支柱５２との結合は、固着（溶接）されている。
更に、縦フレーム５５と後側支柱５２との結合には、略Ｌ字状厚板ガセット５８が溶接されている。
Ｌ字状の一方部５８ａが後側支柱５２の上端部の内側に沿い、Ｌ字状の他方部５８ｂが縦フレーム５５の後端部の内側に沿って、配置されている。
そして、Ｌ字状の一方部５８ａ及び他方部５８ｂの端部は、半円形状に形成されている。
そして、略Ｌ字状厚板ガセット５８と縦フレーム５５及び後側支柱５２とは、図４（Ｂ）に示すように略Ｌ字状厚板ガセット５８の全周に亘って連続溶接している。
これは、ガセット５８の端縁を半円形状にすることにより、後側支柱５２と縦フレーム５３間に前後方向又は車幅方向に曲げ力が作用した際に、最も高い応力が作用する部分（一方部５８ａ、他方部５８ｂ）に溶接終了部が発生しないようにしてある。
溶接終了部は、溶接熱が周囲に逃げて、溶接の溶け込みが不十分になり易くなると共に、冷却が速く溶接強度の低下が発生し易い。
コーナ部がない（半円形状）ため、部分的に溶接熱が入り過ぎることにより発生する周囲との溶接強度の不均一化を防止できると共に、円弧状にすることにより、断面剛性の変化傾斜が緩やかになり、応力集中の発生が防止できる。  
尚、縦フレーム５５と後側支柱５２との結合構造について説明したが、縦フレーム５５と前側支柱５１との結合、及び前側横フレーム５４と前側支柱５１との結合も同様構造にて実施しているので説明は省略する。
【００３３】
図３及び図４に示すように、天井部５３は、天板５６と、該天板５６と前側横フレーム５４との間に配設された複数の棒部材５７とで構成されている。
天板５６は、運転者が雨に濡れるのを防止する平面状に形成され天井部分５６ａと、天井部分５６ａに連続して車両前後方向前側が下方へ屈曲した前側フランジ面５６ｂと、天井部分５６ａに連続して車両前後方向後側が下方へ屈曲した後側フランジ面５６ｃと、左右一対の縦フレーム５５の上面に溶接する溶接代部５６ｄと、天井部分５６ａの運転者側面に、天井部分５６ａとで前後方向断面が矩形状の中空閉断面を成すと共に、車幅方向全域に亘り配設された補強部材５６ｅとで構成されている。
【００３４】
前側フランジ面５６ｂの車両前後方向の位置は、図１に示すように、運転者がシート１０に正規の着座状態時、フォークリフト１のフォーク７２が最上位置に達した時のフォーク７２の先端７２ａが直接確認できる部分としてある。
即ち、前側フランジ面位置ＦＰは、運転者のアイポイントＩＰとフォーク７２の先端７２ａとの連結線ＩＬに、前側フランジ面５６ｂの下端縁５６ｂｐが接する位置より少なくとも車両前後方向後側に位置するようにしてある。
従って、前側フランジ面位置ＦＰは、ヘッドガード５の高さによっても変化してくる。
尚、正規の着座状態とは、標準の大きさの運転者がシート１０に着座して、且つフォークリフト１の運転操作が容易に可能な姿勢である。
【００３５】
棒部材５７は、棒部材５７の軸線に対して直角方向の断面が長方形状で中実の閉断面形状を成している。
棒部材５７は、長方形状の長辺が上下方向に配置されて、一端が前側横フレーム５４に、他端が前側フランジ面５６ｂに夫々に固着（溶接）されている。
従って、棒部材５７は、上下方向に長い（高い）状態で固定されているので、上方からの落下物に対して、高剛性を維持できる。
更に、車幅方向が長方形の短辺方向になるので、棒部材５７間の隙間がその分大きくできるので、上方視界が広くなる効果を有している。
尚、本実施形態では、棒部材５７を厚板の長方形断面としたが、長方形の中空材にして、長辺を上下方向に配設するようにしても、同様の効果を得ることができる。
【００３６】
図４に基づいて、天板５６を縦フレーム５５及び後側支柱５２との結合構造について説明する。
天板５６は、左右一対の縦フレーム５５の上面に天板５６の車幅方向端部のフランジ５６ｄを載置させる。
フランジ５６ｄは左右一対の縦フレーム５５の上面に車両前後方向全域に亘り隅肉溶接Ｗ３される。
更に、前側フランジ面５６ｂの車幅方向端縁と縦フレーム５５の内側面とを、上下方向に隅肉溶接Ｗ４される。
また、天板５６の後側フランジ面５６ｃの車幅方向端縁は、縦フレーム５５と後側支柱５２とを連結しているガセット５８の車幅方向内側面に、上下方向に隅肉溶接Ｗ５されている。
天板５６は、天板の天井部分５６ａ、前側フランジ面５６ｂ、後側フランジ面５６ｃ、及び左右の縦フレーム５５，５５とで、下側が開口した箱状に構成されている。
従って、天板５６は天井部分５６ａの運転席側に配設された補強部材５６ｅと上述の箱状に構成とにより、高剛性のヘッドガード５となり、特に上下方向に対しては特に高い剛性を有している。
尚、本実施形態では、天井部分５６ａを平板状にしたが、当該部を車両前後方向断面を上下に変位させた波状(円弧又は三角形)、台形にして、車幅方向に条状の溝を形成してもよい。
このような構造にすることにより、天井部分５６ａ全体が上下方向の剛性が高くなり、
補強部材５６ｅが不要となり、材料コスト及び重量の軽減が可能となる。
【００３７】
このように、天井板５６を下側が開口した箱状に形成することにより、高剛性のヘッドガード５とすることができると共に、運転者のヘッドクリアランス（運転者の頭部と天板５６との隙間）ＨＣを大きくすることができ、居住性が改善され商品性向上につながる。
更に、天板５６の前側フランジ５６ｂを、運転者のアイポイントＩＰと、フォーク７２が最上位置に達した時のフォークの先端部７２ａとを結ぶ連結線ＩＬより車両前後方向後側に位置させることにした。
従って、荷物を載置したフォークが最上位置に達した時にフォークの先端部が直接確認できると共に、雨天時に運転者に雨水を直接受けることを防止するフォークリフトのヘッドガード構造とすることができた。
【産業上の利用可能性】
【００３８】
フォークリフトの車体にヘッドガード取付ける取付構造として提供できる。  
【符号の説明】
【００３９】
１        フォークリフト
３        カウンタウェイト
５        ヘッドガード
６        ハンドル
７        荷物昇降装置
８        前輪（駆動輪）
９        後輪（操舵輪）
２１      車体
２１ｂ    前側取付ブラケット
２１ｄ    第１取付孔
２２      締結部材
２５      後側取付ブラケット
２５ａ    突起
２５ｄ    第４取付孔
５１      前側支柱
５２      後側支柱
５４      前側横フレーム
５５      縦フレーム
５６      天板
５６ａ    天井部分
５６ｂ    前側フランジ面
５６ｃ    後側フランジ面
５７      棒部材
５８      ガセット
【図１】
2014083659.tif 000003
【図２】
2014083659.tif 000004
【図３】
2014083659.tif 000005
【図４】
2014083659.tif 000006
【図５】
2014083659.tif 000007
【図６】
2014083659.tif 000008
【手続補正書】
【提出日】平成26年3月31日(2014.3.31)
【手続補正１】
【補正対象書類名】特許請求の範囲
【補正対象項目名】全文
【補正方法】変更
【補正の内容】
【特許請求の範囲】
【請求項１】
フォークリフトの車体前部に装着され、車幅方向に離間して配置された左右一対の前側支柱と、
前記車体の後部に装着され、車幅方向に離間して配置された左右一対の後側支柱と、
前記前側支柱の上端部と前記後側支柱の上端部とを前記車体の前後方向に連結する左右一対の縦フレームと、
前記左右一対の前記前側支柱の上端部を車幅方向に連結する前側横フレームと、
前記左右一対の縦フレームの上面に車幅方向端部のフランジを載置して前記左右一対の縦フレーム間に架橋すると共に、前記縦フレームの後端部から前記車体の前方向に延在し、前端が前記縦フレームの前後方向中間部に位置して、前記前端に連続して下方へ屈曲した前側フランジ面を有する天板と、
一端が前記前側横フレームに固着され、他端が前記前側フランジ面に固着されると共に、車幅方向に間隔を有して複数配設された棒部材と、を備え、
さらに、前記天板の前記後端部は、下方へ屈曲した後側フランジ面を有し、前記後側フランジ面の車幅方向の両端縁は、前記一対の後側支柱に夫々固着され、前記天板は、天板の天井部分、前記前側フランジ面、前記後側フランジ面、及び前記左右一対の縦フレームとで、下側が開口した箱状に構成されることを特徴とするフォークリフトのヘッドガード構造。
【請求項２】
前記前側フランジ面の車両前後方向位置は、荷物を載置するフォークの先端が最上位置に達した時に、前記棒部材間の間隔部を介して、少なくとも正規着座位置に運転者が着座した時の前記運転者のアイポイントと前記フォークの先端とを結んだ線より後方に位置していることを特徴とする請求項１記載のフォークリフトのヘッドガード構造。
【請求項３】
（削除）
【請求項４】
前記天板には、車幅方向全域に亘って上下方向に変位した条状の溝が形成されていることを特徴とする請求項１又は２に記載のフォークリフトのヘッドガード構造。
【請求項５】
前記天板には、前記天板の運転席側面で、且つ運転席に対向した位置に、車幅方向に延在する補強部材を配設したことを特徴とする請求項１乃至４のいずれかに記載のフォークリフトのヘッドガード構造。
【請求項６】
前記棒部材は、前記棒部材の軸線に直角方向の断面形状が長方形を成し、前記断面形状の長辺が上下方向に配置されていることを特徴とする請求項１乃至５のいずれかに記載のフォークリフトのヘッドガード構造。
【国際調査報告】
2014083659.tif 000009
2014083659.tif 000010
2014083659.tif 000011
2014083659.tif 000012